(57)【要約】  静電気によってドライバＩＣなどが悪影響を受けることを防止できる配線基板、液晶モジュール、表示装置を提供すること。  液晶パネル２１の平行する短辺に沿って配設されるゲート側共通配線基板１の長手方向の両端部に設けられるＦＰＣコネクタ接続ランド１１のうち、ソース側共通配線基板２３に近接する側に設けられるＦＰＣコネクタ接続ランド１１にはＦＰＣコネクタ１４を実装してソース側共通配線基板２３と電気的な接続を構成し、反対側の端部に設けられるＦＰＣコネクタ接続ランド１１には、その表面に絶縁性の被覆を施す。
2007091357.tif 000002
【特許請求の範囲】
【請求項１】
電気的接続手段を実装できる接続ランドが長手方向の両端部に設けられ、一方の端部に設けられる接続ランドには電気的接続手段が実装されるとともに、他方の端部に設けられる接続ランドにはその表面に電気的な絶縁性の被覆が施されることを特徴とする配線基板。
【請求項２】
液晶パネルと、該液晶パネルの互いに平行な二辺のそれぞれに沿って配設される請求項１に記載の配線基板と、前記互いに平行な二辺の間の辺に沿って配設される他の配線基板と、を備え、前記請求項１に記載の配線基板の前記他の配線基板に近接する側の端部に設けられる接続ランドには電気的接続手段が実装されて前記他の配線基板との間で電気的な接続を構成するとともに、他方の端部に設けられる接続ランドにはその表面に電気的な絶縁性の被覆が施されることを特徴とする液晶モジュール。
【請求項３】
請求項１に記載の配線基板または請求項２に記載の液晶モジュールを備えることを特徴とする表示装置。
【発明の詳細な説明】
【技術分野】
【０００１】
本発明は、配線基板、この配線基板を備える液晶モジュールおよび表示装置に関するものであり、特に好適には、静電気による電子部品や電気部品の破壊などを防止できる構造を備える配線基板、この配線基板を備える液晶モジュールおよび表示装置に関するものである。
【背景技術】
【０００２】
液晶パネルは、この液晶パネルを駆動するドライバＩＣなどが実装されたＴＣＰやＦＰＣなどを装着し、さらにこのＴＣＰやＦＰＣに所定の電気信号などを伝送する配線基板などを接続した組立体を構成することがある。たとえば、液晶パネルの一辺の周縁部には、走査電極ドライバが実装されたＴＣＰが装着される。この走査電極ドライバは、外部から入力された制御信号などに基づいてパルス電圧を生成する。そして生成したパルス電圧を、液晶パネルの走査線を通じて薄膜トランジスタのゲート電極に印加する。【０００３】
ところで、最近の液晶パネルの大型化にともない、液晶パネルの走査線の長さが長くなってきている。このため、液晶パネルの一辺（すなわち、液晶パネルの走査線の一端。一般的には液晶パネルの短辺の一方）からパルス電圧を入力する構成では、入力したパルス電圧の波形がなまることがある。そこで、大型の液晶パネルにおいては、互いに平行する辺の両方に走査電極ドライバが実装されたＴＣＰを装着し、走査線の両端からゲート電極を駆動するパルス電圧を入力する構成が用いられることがある。【０００４】
図６は、液晶パネルの互いに平行する短辺のそれぞれにＴＣＰを装着した組立体の構成の従来例を、模式的に示した外観斜視図である。図６に示すように、この組立体９は、液晶パネル９１と、ドライバＩＣ（走査電極ドライバ９４１または信号電極ドライバ９５１）が実装された複数のＴＣＰ９４，９５と、各ＴＣＰ９４，９５に電気信号などを分配できる配線基板９２，９３とを備える。【０００５】
液晶パネル９１の互いに平行する短辺には、それぞれ走査電極ドライバ９４１が実装された複数のＴＣＰ９４が装着される。そして、これらのＴＣＰ９４は、一般的には各辺ごとに一枚の配線基板９２（説明の便宜上、この配線基板を「ゲート側共通配線基板」と称する）に接続される。一方、液晶パネル９１の長辺の一方には、信号電極ドライバ９５１が実装された複数のＴＣＰ９５が装着される。そしてこれらのＴＣＰ９５は、一般的には一枚または数枚の配線基板９３（説明の便宜上、これらの配線基板９３を「ソース側共通配線基板」と称する）に接続される。【０００６】
ソース側共通配線基板９３は、たとえばＦＰＣ９６などによって、外部のコントロール回路基板（図示せず）などと接続され、外部から所定の電気信号や電力の伝送を受けることができる。そして伝送を受けた所定の電気信号や電力を、各ＴＣＰ９５に分配できる。また、ソース側共通配線基板９３とゲート側共通配線基板９２とは、たとえばＦＰＣ９７などによって互いに接続される。そして、ゲート側共通配線基板９２は、ソース側共通配線基板９３を通じ、外部から所定の電気信号や電力の伝送を受け、各ＴＣＰ９４に分配することができる。【０００７】
走査線の両端にパルス電圧を入力する構成の組立体９は、液晶パネル９１の互いに平行する短辺の両方に、ゲート側共通配線基板９２を配設する必要がある。このため、組立体９の部品点数が増加し、組立体９の製造コストや製品価格の上昇を招くおそれがある。そこで、液晶パネル９１の互いに平行する辺の両方に、同じ構造を有するゲート側共通配線基板９２を配設することがある。このような構成によれば、必要となるゲート側共通配線基板９２は一種類となるから、部品の種類が増加しない。したがって、組立体９の製造コストや製品価格の上昇を抑制できる。【０００８】
ところで、このような組立体９に適用されるゲート側共通配線基板９２は、液晶パネル９１のどちら側の短辺にも配設できる構成を備える必要がある。このため、ゲート側共通配線基板９２の両端近傍に、ソース側共通配線基板９３と接続するためのコネクタなどを実装できる接続ランドを設ける。そして、各ゲート側共通配線基板９２を液晶パネル９１の短辺に沿って配設した状態において、ソース側共通配線基板９３に近い側の接続ランドにコネクタを実装し、このコネクタを介してソース側共通配線基板９３と電気的に接続する。【０００９】
なお、本発明に関連する先行技術文献として、特開平４−２９５６８４号公報および特開２００２−９６７３号公報が挙げられる。
【発明の開示】
【発明が解決しようとする課題】
【００１０】
しかしながらこのような構成では、ソース側共通配線基板９３から遠い側の接続ランドは未使用の状態にある。このため、この組立体９や、この組立体９が組み込まれる表示装置を製造する段階において、またはユーザが使用する段階において、この未使用の接続ランドから静電気が侵入するおそれがある。そして未使用の接続ランドから静電気が侵入すると、この接続ランドに電気的に接続しているドライバＩＣ９４１，９５１や各種の電気部品・電子部品が静電気によって破壊などするおそれがある。【００１１】
上記実情に鑑み、本発明が解決しようとする課題は、ドライバＩＣやその他の電子部品・電気部品が静電気の影響を受けることを防止できる配線基板、この配線基板を備える液晶モジュールおよび表示装置を提供することである。
【課題を解決するための手段】
【００１２】
前記課題を解決するため、本発明は、電気的接続手段を実装できる接続ランドを長手方向の両端部に設け、そのうちの一方の端部に設けられる接続ランドには電気的接続手段を実装し、他方の端部に設けられる接続ランドにはその表面に電気的な絶縁性の被覆を施すことを要旨とする。【００１３】
また本発明にかかる液晶モジュールは、液晶パネルの互いに平行な二辺のそれぞれに沿って前記配線基板を配設し、これらの互いに平行な二辺の間の辺に沿って他の配線基板を配設する。そして、前記配線基板の各端部のうち前記他の配線基板に近接する側の端部に設けられる接続ランドには電気的な接続手段を実装し、前記他の配線基板との間に電気的な接続を構成する。他方の端部に設けられる接続ランドには、その表面に電気的な絶縁性の被覆を施す。【００１４】
また、前記配線基板を組み込んだ表示装置、または前記液晶モジュールを組み込んだ表示装置を構成する。
【発明の効果】
【００１５】
本発明によれば、選択的に使用される複数の接続ランドのうち、未使用の接続ランドの表面には絶縁性の被覆が施される。したがって、この未使用の接続ランドからの静電気の侵入を防止できる。このため、配線基板に実装される電気部品や電子部品、配線基板に接続されるＴＣＰなどに実装される電気部品や電子部品、たとえばドライバＩＣなどが、静電気による悪影響の発生、たとえば破壊または誤作動することなどを防止できる。
【図面の簡単な説明】
【００１６】
【図１】本発明の実施形態にかかる配線基板の構成を模式的に示した外観斜視図であり、Ａ部拡大図とＢ部拡大図は、それぞれ長手方向の端部近傍を拡大して示す。
【図２】前記配線基板を備える液晶モジュールの構成を模式的に示した外観斜視図である。
【図３】前記配線基板を備える液晶モジュールの電気的な接続形態を模式的に示した平面図である。
【図４】本実施形態にかかる液晶モジュールが組み込まれた表示装置の構成を模式的に示した分解斜視図である。
【図５】前記表示装置が組み込まれたテレビ受信機の構成を模式的に示した分解斜視図である。
【図６】従来の液晶モジュールの構成の一例を模式的に示した外観斜視図である。
【発明を実施するための最良の形態】
【００１７】
以下に、本発明の実施形態について、図面を参照して詳細に説明する。図１は、本発明の実施形態にかかる配線基板の構成を、模式的に示した外観斜視図である。図中のＡ部拡大図とＢ部拡大図は、本発明の実施形態にかかる配線基板の両端部近傍を、それぞれ拡大して示す。以下、本発明の実施形態にかかる配線基板を、「本配線基板」と略して称することがある。【００１８】
本発明の実施形態にかかる配線基板１は、電気的接続手段１４を実装できる接続ランド１１と、ドライバＩＣ２４１などが実装された複数のＴＣＰ（Tape Carrier Package）２４を接続できる複数の接続ランド１２と、所定の配線（図略）とを備える。電気的接続手段１４を実装できる接続ランド１１と、ＴＣＰ２４を接続できる複数の接続ランド１２とは、前記所定の配線によって電気的に接続されている。そして本配線基板１は、電気的接続手段１４を通じて、外部から所定の電気信号や電力の伝送を受け、前記所定の配線を通じて接続ランド１２に接続される複数のＴＣＰ２４に分配できる。【００１９】
本配線基板１は細長い形状を有する。電気的接続手段１４を実装できる接続ランド１１は、本配線基板１の長手方向の両端部近傍（図中においては、Ａ部とＢ部のそれぞれ）に設けられる（図中のＡ部拡大図においては、隠れて見えない）。本実施形態においては、電気的接続手段１４として、ＦＰＣコネクタが適用される構成を用いて説明する。また説明の便宜上、これらのＦＰＣコネクタ１４を実装できる接続ランド１１を、「ＦＰＣコネクタ接続ランド」と称する。ＦＰＣコネクタ接続ランド１１に実装されるＦＰＣコネクタ１４は、公知の各種ＦＰＣコネクタが適用できる。したがって、ＦＰＣコネクタ１４の説明は省略する。【００２０】
ドライバＩＣ２４１などが実装されたＴＣＰ２４を接続できる複数の接続ランド１２は、本配線基板１の長手方向に沿って、所定の間隔をおいて直列的に並ぶように設けられる。各ＴＣＰ２４は、異方性導電膜（ＡＣＦ）（図略）によって接続ランド１２に接続される。本明細書においては説明の便宜上、ＴＣＰ２４を接続できる接続ランド１２を「ＴＣＰ接続ランド」と称する。【００２１】
各ＴＣＰ接続ランド１２の間には、ダミーランド１３が設けられる。ダミーランド１３は、異方性導電膜をＴＣＰ接続ランド１２に貼り付ける際に、ＴＣＰ接続ランド１２と異方性導電膜との間の接着力を向上させるために設けられる。【００２２】
所定の配線は、本配線基板１の長手方向に沿って、並列的に設けられる。【００２３】
各ＦＰＣコネクタ接続ランド１１と所定の配線とは電気的に接続される。また、各ＴＣＰ接続ランド１２と前記所定の配線とは、スルーホールなどを介して電気的に接続される。このため、ＦＰＣコネクタ接続ランド１１から入力された電気信号や電力を、所定の配線およびＴＣＰ接続ランド１２を通じて各ＴＣＰ２４に分配できる。そして、この電気信号や電力は、本配線基板１の両端部に設けられるＦＰＣコネクタ接続ランド１１のいずれからでも入力できる。【００２４】
一方の端部（図１においてはＡ部）近傍に設けられるＦＰＣコネクタ接続ランド１１には、実際にＦＰＣコネクタ１４が実装される。そして、外部からの所定の電気信号や電力は、このＦＰＣコネクタ１４に接続されるＦＰＣ（図略）を通じて、前記所定の配線に伝送できる。【００２５】
他方の端部（図１においてはＢ部）近傍に設けられるＦＰＣコネクタ接続ランド１１には、ＦＰＣコネクタは実装されず、その表面に絶縁性の被覆が施される。この絶縁性の被覆には、一般的なプリント配線基板用の絶縁性の樹脂が適用できる。たとえば、シリコン、アクリル、ウレタン、エポキシまたはポリイミドなどが適用できる。【００２６】
なお、いずれのＦＰＣコネクタ接続ランド１１にＦＰＣコネクタ１４を実装するかは、本配線基板１の使用態様に応じて選択的に決定される。すなわち、本配線基板１は、その両端近傍にそれぞれＦＰＣコネクタ接続ランド１１が設けられ、実際に使用するＦＰＣコネクタ接続ランド１１にＦＰＣコネクタ１４が実装され、使用しないＦＰＣコネクタ接続ランド１１の表面には絶縁性の被覆が施される。したがって、図１に示す構成とは反対に、Ｂ部に設けられるＦＰＣコネクタ接続ランド１１にＦＰＣコネクタ１４を実装し、Ａ部に設けられるＦＰＣコネクタ接続ランド１１の表面に絶縁性の被覆を施す構成であってもよい。本配線基板１の具体的な使用態様については後述する。【００２７】
ＦＰＣコネクタ接続ランド１１の表面の絶縁性の被覆は、本配線基板１の配線パターンなどに絶縁性の被覆を施す工程において、併せて施すことが好ましい。このような方法によれば、ＦＰＣコネクタ接続ランド１１に絶縁性の被覆を施す工程を追加する必要がない。したがって工程数の増加を招かず、製造コストの上昇を招かない。【００２８】
また、前記のようなＦＰＣコネクタ接続ランド１１に電気的な絶縁性の材料をコーティングする構成のほか、絶縁性の被覆テープを貼り付ける構成であってもよい。たとえば塩化ビニルなどからなる絶縁性のフィルムを、アクリルなどの粘着性を有する合成樹脂からなる接着剤により貼り付ける構成などが適用できる。この場合、被覆テープは、本配線基板１の表面から容易に剥離可能であってもよく、また、剥離困難なように強固に接着するものであってもよい。【００２９】
なお前記構成は例示であり、絶縁性の被覆の具体的な構成は限定されるものではない。要は、ＦＰＣコネクタ１４が実装されないＦＰＣコネクタ接続ランド１１の表面が、電気的な絶縁性の物質（電気抵抗が大きく、実質的に電気的な絶縁性を有するとみなせる物質も含む）で覆われる構成であればよい。【００３０】
このような構成の本配線基板１は、ＦＰＣコネクタ１４に接続したＦＰＣ（図略）を通じて、外部から所定の電気信号や電力の伝送を受け、これらの所定の電気信号や電力を、前記所定の配線および各ＴＰＣ接続ランド１２を通じて各ＴＣＰ２４に分配できる。【００３１】
そして、ＦＰＣコネクタ１４が実装されないＦＰＣコネクタ接続ランド１１の表面には絶縁性の被覆が施されるから、このＦＰＣコネクタ接続ランド１１からの静電気の侵入を防止できる。したがって、ＴＣＰ２４に実装されるドライバＩＣ２４１などの電気部品や電子部品が、静電気による悪影響を受けること、たとえば破壊や誤作動を防止できる。【００３２】
次に、本配線基板１が適用される液晶モジュールについて説明する。図２は、本配線基板が適用される液晶モジュールの構成を、模式的に示した外観斜視図である。以下、本配線基板が適用される液晶モジュールを、「本液晶モジュール」と略して称することがある。【００３３】
本液晶モジュール２は、液晶パネル２１と、ドライバＩＣ（走査電極ドライバ）２４１が実装された複数のＴＣＰ２４と、これらの複数のＴＣＰ２４に所定の信号や電力を分配できる配線基板（すなわち本配線基板）１と、ドライバＩＣ（信号電極ドライバ）２２１が実装された複数のＴＣＰ２２と、これらのＴＣＰ２２に所定の信号や電力を分配できる配線基板とを備える。【００３４】
なお、本明細書においては説明の便宜上、走査電極ドライバ２４１が実装されたＴＣＰ２４を、「ゲートＴＣＰ」と称し、信号電極ドライバ２２１が実装されたＴＣＰ２２を、「ソースＴＣＰ」と称することがある。そして、ゲートＴＣＰ２４に所定の電力や信号を分配できる配線基板（すなわち本配線基板）１を「ゲート側共通配線基板」と称し、ソースＴＣＰ２２に所定の信号や電力を分配できる配線基板２３を、「ソース側共通配線基板」と称することがある。【００３５】
本液晶モジュール２の液晶パネル２１には、一般的なアクティブマトリックスタイプの液晶パネルが適用できる。アクティブマトリックスタイプの液晶パネルは、絵素ごとに薄膜トランジスタなどの能動素子を備える。そして、各絵素の薄膜トランジスタのゲート電極に信号を伝達する走査線と、ソース電極に信号を伝達するソース信号線とが設けられる。【００３６】
液晶パネル２１の一辺（本実施形態においては長辺の一方）の周縁部には、複数のソースＴＣＰ２２が、所定の間隔をおいて装着される。そしてこれらの複数のソースＴＣＰ２２は、一枚または数枚のソース側共通配線基板２３に接続される。ここでは、本液晶モジュール２が、二枚のソース側共通配線基板２３を備える構成を用いて説明する。【００３７】
各ソース側共通配線基板２３は細長い形状を有する。そして、本液晶モジュール２が複数のソース側共通配線基板２３を備える構成においては、各ソース側共通配線基板２３が、液晶パネル２１の一辺（ここでは長辺）に沿うように、直列的に並べて配設される。【００３８】
各ソース側共通配線基板２３には、所定の電気信号や電力などを伝送できる所定の配線（図略）が設けられる。この配線は、各ソース側共通配線基板２３の長手方向に沿って、並列的に設けられる。【００３９】
各ソース側共通配線基板２３が互いに近接する側の端部、またはその近傍には、前記配線に電気的に接続する接続ランド（図略）が設けられ、この接続ランドにはＦＰＣコネクタ２３１が実装される。説明の便宜上、このＦＰＣコネクタ２３１を「第一のＦＰＣコネクタ」と称する。そして前記配線は、この第一のＦＰＣコネクタ２３１に接続されるＦＰＣ２６を通じて、外部から所定の電気信号や電力の伝送を受けることができる。【００４０】
各ソース側共通配線基板２３には、ソースＴＣＰ２２を接続するための複数の接続ランド（図略）が、所定の間隔をおいて設けられる。これらの各接続ランドは、スルーホールなどを介して前記配線と電気的に接続している。そして、各接続ランドには、異方性導電膜（図略）などを介してソースＴＣＰ２２が接続される。このため、外部から伝送された所定の電気信号や電力は、前記配線および接続ランドを介して、各ソースＴＣＰ２２に分配される。【００４１】
各ソースＴＣＰ２２に実装される信号電極ドライバ２２１は、分配を受けた所定の電気信号や電力などによって作動する。そして液晶パネル２１の各ソース信号線を通じて、各ソース信号線上にある薄膜トランジスタのソース電極に電流を供給する。【００４２】
各ソース側共通配線基板２３は、各ゲート側共通配線基板１に近接する側の端部またはその近傍に、接続ランド（図略）が設けられる。この接続ランドは、前記所定の配線に電気的に接続される。そしてこの接続ランドにはＦＰＣコネクタ２３２が実装される。説明の便宜上、このＦＰＣコネクタ２３２を「第二のＦＰＣコネクタ」と称する。そして、この第二のＦＰＣコネクタ２３２と、ゲート側共通配線基板１に実装されるＦＰＣコネクタ１４とが、ＦＰＣ２７によって電気的に接続される。説明の便宜上、このＦＰＣ２７を「第二のＦＰＣ」と称する。このような構成によれば、外部から伝送された所定の電気信号や電力を、前記配線と第二のＦＰＣ２７を通じて、各ゲート側共通配線基板１に伝送することができる。【００４３】
ゲート側共通配線基板１、すなわち本発明の実施形態にかかる配線基板の構成は、前記のとおりである。そしてゲート側共通配線基板１を、その長辺が液晶パネル２１の短辺と対向するように配設する。液晶パネル２１の各短辺に沿って配設される各ゲート側共通配線基板１は、ソース側共通配線基板２３に近接する側のＦＰＣコネクタ接続ランド１１にＦＰＣコネクタ１４が実装される。そしてこのＦＰＣコネクタ１４と、ソース側共通配線基板２３の第二のＦＰＣコネクタ２３２とが第二のＦＰＣ２７によって電気的に接続される。【００４４】
また、各ゲート側共通配線基板１の各ＴＣＰ接続ランド１２には、走査電極ドライバ２４１が実装されたゲートＴＣＰ２４が接続される。【００４５】
このような構成によれば、各ゲート側共通配線基板１は、第一のＦＰＣ２６、ソース側共通配線基板２３、第二のＦＰＣ２７を通じて、外部から所定の電気信号や電力の伝送を受ける。そして伝送された所定の電気信号や電力を、各ＴＣＰ接続ランド１２を通じて各ゲートＴＣＰ２４に分配する。各ゲートＴＣＰ２４に実装される走査電極ドライバ２４１は、分配を受けた電気信号や電力によって作動する。そして液晶パネル２１の各走査線に信号を伝達し、各走査線上にある絵素の薄膜トランジスタを駆動する。【００４６】
各ゲート側共通配線基板１は、それぞれ略平行な長辺の特定の一方が、液晶パネル２１の短辺に対向するように配設される。したがって、液晶パネル２１の一方の短辺に沿って配設されるゲート側共通配線基板１と、他方の短辺に沿って配設されるものとでは、向きが互いに１８０°異なる。すなわち、液晶パネル２１の各短辺に沿って配設される各ゲート側共通配線基板１は、どちら側の端部がソース側共通配線基板２３に近接するかが互いに異なる。【００４７】
ゲート側共通配線基板１の長手方向の両端部近傍には、それぞれＦＰＣコネクタ接続ランド１１が設けられる。そして、それぞれソース側共通配線基板２３に近接する側のＦＰＣコネクタ接続ランド１１にＦＰＣコネクタ１４を実装する。また、反対側の端部近傍に設けられるＦＰＣコネクタ接続ランド１１には、その表面に絶縁性の被覆を施す。【００４８】
このようにゲート側共通配線基板１は、ＦＰＣコネクタ１４を含む電子部品や電気部品などを実装する前の段階においては、液晶パネル２１のいずれの短辺に沿って配設されるものであるかの区別はない。そして、電子部品や電気部品などを実装する段階において、液晶パネル２１のいずれ側の短辺に沿って配設するものであるかを作り分ける。この際、使用しないＦＰＣコネクタ接続ランド１１の表面に、絶縁性の被覆を施す。【００４９】
このような構成によれば、電子部品や電気部品を実装する前の配線基板は一種類でよいから、部品の種類の増加を防止できる。そして、使用していないＦＰＣコネクタ接続ランド１１の表面には絶縁性の被覆が施されるから、使用していないＦＰＣコネクタ接続ランド１１を通じて静電気による悪影響を受けることを防止できる。【００５０】
次に、各ソース側共通配線基板２３、ゲート側共通配線基板１、ソースＴＣＰ２２、ゲートＴＣＰ２４および液晶パネル２１の相互の電気的な接続構成について説明する。図３は、これらの電気的な接続の構成を模式的に示した平面図である。【００５１】
図３に示すように、ソース側共通配線基板２３の互いに近接する側の端部近傍には、それぞれ第一のＦＰＣコネクタ２３１が実装される。そして、第一のＦＰＣ２６によって外部の所定の回路基板（図略。たとえばコントロール回路基板）などに接続される。そして、第一のＦＰＣ２６を通じて、所定の電気信号や電力の伝送を受ける。外部から伝送される電気信号や電力には、次のようなものが含まれる。信号電極ドライバ２２１を制御する信号、信号電極ドライバ２２１の駆動電力、液晶パネル２１の共通電圧、走査電極ドライバ２４１を制御する信号、走査電極ドライバ２４１の駆動電力、液晶パネル２１の補助容量。【００５２】
各ソース側共通配線基板２３には、所定の複数の配線が並列的に設けられる。ソース側共通配線基板２３に設けられる配線には、次のようなものが含まれる。信号電極ドライバ２２１を制御する信号を伝送する配線２３６、信号電極ドライバ２２１に供給する電力を伝送する配線２３７、液晶パネル２１に印加する共通電位を伝送する配線２３８、走査電極ドライバ２４１を制御する信号を伝送する配線２３３、走査電極ドライバ２４１に供給する電力を伝送する配線２３４、液晶パネル２１の補助容量線に供給する補助容量を伝送する配線２３５、およびこれらの予備配線（図略）。【００５３】
各ソース側共通配線基板２３には、信号電極ドライバ２２１が実装された複数のソースＴＣＰ２２が接続される。そして各ソースＴＣＰ２２に対し、前記各配線のうちの所定の配線を通じて、信号電極ドライバ２２１を制御する信号、信号電極ドライバ２２１の駆動電力、液晶パネル２１に印加する共通電圧を分配する。【００５４】
また、各ソース側共通配線基板２３の反対側の端部（すなわち各ゲート側共通配線基板１に近接する側の端部）またはその近傍には、第二のＦＰＣコネクタ２３２が実装される。そして第二のＦＰＣ２７によって、各ゲート側共通配線基板１に実装されるＦＰＣコネクタ１４と電気的に接続される。【００５５】
各ゲート側共通配線基板１には、所定の複数の配線が並列的に設けられる。ゲート側共通配線基板１に設けられる配線には、次のようなものが含まれる。走査電極ドライバ２４１を制御する信号を伝送する配線１５１、走査電極ドライバ２４１に供給する電力を伝送する配線１５２、液晶パネル２１の補助容量線に供給する補助容量を伝送する配線１５３、およびこれらの予備配線（図略）。【００５６】
これらの配線は、各ゲート側共通配線基板１の両端部のそれぞれに設けられるＦＰＣコネクタ接続ランド１１に電気的に接続している。前記のとおり、ソース側共通配線基板２３に近い側のＦＰＣコネクタ接続ランド１１にはＦＰＣコネクタ１４が実装され、他方のＦＰＣコネクタ接続ランド１１の表面には絶縁性の被覆が施される。【００５７】
また、各ゲート側共通配線基板１には、走査電極ドライバ２４１が実装された複数のゲートＴＣＰ２４が接続される。【００５８】
そして、ソース側共通配線基板２３とゲート側共通配線基板１のそれぞれに設けられる所定の配線は、第二のＦＰＣ２７を通じて互いに電気的に接続される。第二のＦＰＣ２７によって互いに電気的に接続される配線には、次のようなものが含まれる。走査電極ドライバ２４１を制御する信号を伝送する配線２３３，１５１、走査電極ドライバ２４１に供給する電力を伝送する配線２３４，１５２、液晶パネル２１の補助容量線に供給する補助容量を伝送する配線２３５，１５３、およびこれらの予備配線（図略）。【００５９】
走査電極ドライバ２４１を制御する信号、走査電極ドライバ２４１の駆動電力および液晶パネル２１の補助容量は、各第一のＦＰＣ２６、各ソース側共通配線基板２３、各第二のＦＰＣ２７を通じて各ゲート側共通配線基板１に伝送される。そして各ゲート側共通配線基板１において各ゲートＴＣＰ２４に分配される。【００６０】
このような構成によれば、外部から伝送された所定の信号や電力によって、各信号電極ドライバ２２１、走査電極ドライバ２４１が作動し、これら信号電極ドライバ２２１と走査電極ドライバ２４１が液晶パネル２１の薄膜トランジスタなどを駆動する。【００６１】
次に、本液晶モジュール２を備える表示装置について説明する。【００６２】
図４は、本液晶モジュール２を備える表示装置の構成を模式的に示した分解斜視図である。以下、説明の便宜上、図４中の上側を表示装置の「前面側」と称し、下側を「背面側」と称する。また、本液晶モジュールを備える表示装置を、「本表示装置」と略して称することがある。【００６３】
本表示装置３は、前記本液晶モジュール２と、バックライトシャーシ３１（バックライトアングルとも称する）と、光源３３と、反射シート３２と、光学シート類３５と、サイドホルダ３４と、フレーム３６と、ベゼル３７と、コントロール回路基板３９と、光源駆動回路基板３８とを備える。【００６４】
これらの各部材について簡単に説明する。バックライトシャーシ３１は、略四辺形の板状の部材である。たとえば金属の板材などからなり、プレス加工などを用いて形成される。【００６５】
光源３３は、熱陰極管や冷陰極管などの蛍光管、発光ダイオード、その他の各種光源またはこれらの組合せが適用できる。図４においては、直線状に形成される複数の蛍光管が適用される構成を示す。【００６６】
反射シート３２は、光源３３が発した光を乱反射させるシート状または板状の部材である。この反射シート３２は、たとえば発泡ＰＥＴ（ポリエチレンテレフタレート）などにより形成される。【００６７】
光学シート類３５は、ここでは、光源３３が発した光の特性を調整する板状もしくはシート状の部材、またはこれらの集合をいう。具体的に光学シート類３５には、拡散板、レンズシート、偏光反射シートなどが含まれる。そして一般的には、これらが積み重ねられて用いられる。【００６８】
サイドホルダ３４は、光学シート類３５を載置するためのスペーサなどとして機能する部材である。このサイドホルダ３４は、略棒状に形成される部材であり、たとえば樹脂材料などにより一体に形成される。【００６９】
フレーム３６は、光源３３や光学シート類３５などの部材をバックライトシャーシ３１に保持するなどの機能を有する部材である。このフレーム３６は、開口した四辺形に形成され、その外周縁には、背面側に向かって衝立状に起立する側壁が形成される。このフレーム３６は、たとえば、金属の板材によりプレス加工などを用いて形成される。【００７０】
ベゼル３７は、液晶モジュール２などをフレーム３６に保持するなどの機能を有する部材である。このベゼル３７は、開口した四辺形に形成され、たとえば、金属の板材によりプレス加工などを用いて形成される。【００７１】
光源駆動回路基板３８は、光源３３を駆動するための電子回路や電気回路などが構築された回路基板である。コントロール回路基板３９は、液晶モジュール２を制御するための各種電気信号を生成する電気回路や電子回路などが構築された回路基板である。【００７２】
なお、これらのバックライトシャーシ３１、光源３３、反射シート３２、光学シート類３５、サイドホルダ３４、フレーム３６、ベゼル３７、コントロール回路基板３９、光源駆動回路基板３８は、従来公知のものが適用できる。したがって、これらの部材の詳細な説明は省略する。【００７３】
このような部材を備える表示装置３の組み付けは、次のとおりである。バックライトシャーシ３１の前面側に反射シート３２を布設し、その前面側に光源３３を配設する。この状態で、バックライトシャーシ３１の各短辺の周縁部にサイドホルダ３４を装着する。そして、バックライトシャーシ３１およびサイドホルダ３４の前面側に、光学シート類３５を配設する。さらにその前面側にフレーム３６を装着する。【００７４】
フレーム３６の前面側に本液晶モジュール２を配設する。そして、本液晶モジュール２のゲート側共通配線基板１およびソース側共通配線基板２３を背面側に向かって曲げ起こし、フレーム３６の側壁に固定する。そしてその前面側にベゼル３７を装着する。【００７５】
バックライトシャーシ３１の背面側には、コントロール回路基板３９および光源駆動回路基板３８を装着し、さらにコントロール回路基板カバー３９１と光源駆動回路基板カバー３８１とを、各回路基板３９，３８を覆うように装着する。そして、コントロール回路基板３９と各ソース側共通配線基板２３を、第一のＦＰＣ（図略）によって電気信号を送受信可能に接続する。また、各光源３３から引き出されるハーネスを、光源駆動回路基板３８に接続する。【００７６】
図５は、本表示装置が組み込まれたテレビ受信機の構成の一例を示した分解斜視図である。このテレビ受信機４は、本表示装置３と、チューナ基板４１と、拡声手段４２と、電源基板４３と、キャビネット４４と、支持部材４５とを備える。【００７７】
チューナ基板４１は、受信した電波や外部から入力された信号に基づいて、所定のチャンネルの映像信号と音声信号を生成する回路が構築される回路基板である。チューナ基板４１に構築される回路には、従来一般の地上波（アナログ地上波および／またはデジタル地上波）チューナ回路、ＢＳチューナ回路、ＣＳチューナ回路のいずれかまたは複数が適用される。【００７８】
拡声手段４２は、チューナ基板４１により生成された音声信号に基づいて、音声を発する。この拡声手段４２には、一般的なスピーカなどの従来一般の拡声手段が適用できる。【００７９】
電源基板４３は、本表示装置３、チューナ基板４１、拡声手段４２などに対して電力を供給する。【００８０】
そして、図５に示すように、これらの本表示装置３、チューナ基板４１、拡声手段４２、電源基板４３がキャビネット４４に収納され、支持部材４５により支持される。図５においては、キャビネット４４が表側キャビネット４４１と裏側キャビネット４４２を備え、これらの間に本表示装置３などを収納する構成を示す。【００８１】
以上、本発明の実施形態について、図面を参照して詳細に説明したが、本発明は前記実施形態に何ら限定されるものではなく、本発明の趣旨を逸脱しない範囲において種々の改変が可能であることはいうまでもない。【００８２】
たとえば、前記実施形態においては、ソース側共通配線基板とゲート側共通配線基板との電気的接続手段として、ＦＰＣを用いる構成を示したが、ＦＦＣやその他のケーブル類を用いても良い。【００８３】
また、ソース側共通配線基板とゲート側共通配線基板との電気的な接続は、ＦＰＣコネクタとＦＰＣの組合せに限定されるものではない。たとえば、ＦＰＣではなくＦＦＣやその他のケーブル類を用いてもよい。また、コネクタを用いる構成に限定されるものではなく、たとえばハンダ付けなどを用いてもよい。
【図１】
2007091357.tif 000003
【図２】
2007091357.tif 000004
【図３】
2007091357.tif 000005
【図４】
2007091357.tif 000006
【図５】
2007091357.tif 000007
【図６】
2007091357.tif 000008
【国際調査報告】
2007091357.tif 000009
2007091357.tif 000010
2007091357.tif 000011
2007091357.tif 000012